【手続補正書】
【提出日】平成16年9月17日(2004.9.17)
【手続補正１】
【補正対象書類名】明細書
【補正対象項目名】発明の名称
【補正方法】変更
【補正の内容】
【発明の名称】記録媒体、記録方法、および記録装置
【手続補正２】
【補正対象書類名】明細書
【補正対象項目名】特許請求の範囲
【補正方法】変更
【補正の内容】
【特許請求の範囲】
【請求項１】
螺旋状又は同心状にデータがフレーム単位で記録される記録媒体であって、
所定のデータが複数のフレーム単位毎に繰返し記録されると共に上記所定のデータが記録されるフレーム以外のフレームにアドレス情報が記録されることを特徴とする記録媒体。
【請求項２】
上記所定のデータは、サブコードとして記録されることを特徴とする請求項１記載の記録媒体。
【請求項３】
上記サブコードは上記フレーム単位で完結し、上記所定のデータが１２フレーム間隔で５箇所のフレームに記録されることを特徴とする請求項２記載の記録媒体。
【請求項４】
上記所定のデータは、上記記録媒体を識別する識別データであることを特徴とする請求項１記載の記録媒体。
【請求項５】
螺旋状又は同心状にデータがフレーム単位で記録される記録媒体であって、
所定のデータが複数のフレーム単位毎に繰返し記録されたのち他の所定のデータが複数のフレーム単位毎に繰返し記録されると共に、所定のデータが記録されるフレーム以外のフレームにアドレス情報が記録されることを特徴とする記録媒体。
【請求項６】
上記所定のデータのうち１の所定のデータは他の所定のデータを管理する管理データであることを特徴とする請求項５記載の記録媒体。
【請求項７】
複数の異なる所定のデータのうち一部の所定のデータは、予め記録されたデータであることを特徴とする請求項５記載の記録媒体。
【請求項８】
略平行に形成された複数の直線状トラックにデータが記録される記録媒体であって、所定のデータが各トラックに分散して繰返し記録されることを特徴とする記録媒体。
【請求項９】
上記所定のデータは、記録方向に略等間隔で繰返し記録されることを特徴とする請求項８記載の記録媒体。
【請求項１０】
上記所定のデータは、１トラックの長さと上記所定のデータが繰返し記録される回数とに基づいて設定される位置に上記所定のデータが記録されることを特徴とする請求項８記載の記録媒体。
【請求項１１】
螺旋状又は同心状にデータがフレーム単位で記録される記録媒体に記録する方法であって、
供給されるデータをアドレスデータとするか、所定のデータとするかを切替えるステップと、
供給される所定のデータを複数のフレーム単位毎に繰返し記録すると共に上記アドレスデータを上記所定のデータが記録されるフレーム以外のフレームに記録するステップと
から構成される記録方法。
【請求項１２】
上記所定のデータは、サブコードとして記録されることを特徴とする請求項１１記載の記録方法。
【請求項１３】
上記サブコードは上記フレーム単位で完結し、上記所定のデータが１２フレーム間隔で５箇所のフレームに記録されることを特徴とする請求項１２記載の記録方法。
【請求項１４】
螺旋状又は同心状にデータをフレーム単位で記録する記録方法であって、
供給されるデータをアドレスデータとするか、所定のデータとするかを切替えるステップと、
供給される所定のデータを複数のフレーム単位毎に繰返し記録したのち供給される他の所定のデータを複数のフレーム単位毎に繰返し記録すると共に所定のデータが記録されるフレーム以外のフレームにアドレス情報を記録することを特徴とする記録方法。
【請求項１５】
螺旋状又は同心状にデータがフレーム単位で記録される記録媒体に記録する記録装置であって、
上記記録媒体にデータを記録する記録手段と、
上記記録手段に供給するデータをアドレスデータとするか所定のデータとするかを切替える切替手段と、
供給される所定のデータを複数のフレーム単位毎に繰返し記録させると共に上記アドレスデータを上記所定のデータが記録されるフレーム以外のフレームに記録させる制御手段とから構成される記録装置。
【請求項１６】
上記所定のデータは、サブコードとして記録されることを特徴とする請求項１５記載の記録装置。
【請求項１７】
上記サブコードは上記フレーム単位で完結し、上記所定のデータが１２フレーム間隔で５箇所のフレームに記録されることを特徴とする請求項１６記載の記録方法。
【請求項１８】
螺旋状又は同心状にデータがフレーム単位で記録される記録媒体に記録する記録装置であって、
上記記録媒体にデータを記録する記録手段と、
上記記録手段に供給するデータをアドレスデータとするか所定のデータとするかを切替える切替手段と、
供給される所定のデータを複数のフレーム単位毎に繰返し記録させたのち供給される他の所定のデータを複数のフレーム単位毎に繰返し記録させると共に上記アドレスデータを所定のデータが記録されるフレーム以外のフレームに記録させる制御手段とから構成される記録装置。
【手続補正３】
【補正対象書類名】明細書
【補正対象項目名】０００１
【補正方法】変更
【補正の内容】
【０００１】
【発明の属する技術分野】
この発明は、データを記録媒体に対して多重書きするのに適用される記録媒体、記録方法、および記録装置に関する。
【手続補正４】
【補正対象書類名】明細書
【補正対象項目名】０００４
【補正方法】変更
【補正の内容】
【０００４】
したがって、この発明の目的は、多重書きされる複数のデータが記録媒体上でなるべく離れた位置に配置することによって、記録媒体の傷等によって生じるエラーに対する耐性が向上するようにした記録媒体、記録方法、および記録装置を提供することにある。
【手続補正５】
【補正対象書類名】明細書
【補正対象項目名】０００５
【補正方法】変更
【補正の内容】
【０００５】
【課題を解決するための手段】
上述した課題を解決するために、請求項１の発明は、螺旋状又は同心状にデータがフレーム単位で記録される記録媒体であって、所定のデータが複数のフレーム単位毎に繰返し記録されると共に所定のデータが記録されるフレーム以外のフレームにアドレス情報が記録されることを特徴とする記録媒体である。
また、請求項５の発明は、螺旋状又は同心状にデータがフレーム単位で記録される記録媒体であって、所定のデータが複数のフレーム単位毎に繰返し記録されたのち他の所定のデータが複数のフレーム単位毎に繰返し記録されると共に、所定のデータが記録されるフレーム以外のフレームにアドレス情報が記録されることを特徴とする記録媒体である。
【手続補正６】
【補正対象書類名】明細書
【補正対象項目名】０００６
【補正方法】変更
【補正の内容】
【０００６】
請求項８の発明は、略平行に形成された複数の直線状トラックにデータが記録される記録媒体であって、所定のデータが各トラックに分散して繰返し記録されることを特徴とする記録媒体である。
【手続補正７】
【補正対象書類名】明細書
【補正対象項目名】０００７
【補正方法】変更
【補正の内容】
【０００７】
請求項１１の発明は、螺旋状又は同心状にデータがフレーム単位で記録される記録媒体に記録する方法であって、供給されるデータをアドレスデータとするか、所定のデータとするかを切替えるステップと、供給される所定のデータを複数のフレーム単位毎に繰返し記録すると共にアドレスデータを所定のデータが記録されるフレーム以外のフレームに記録するステップとから構成される記録方法である。
また、請求項１４の発明は、螺旋状又は同心状にデータをフレーム単位で記録する記録方法であって、供給されるデータをアドレスデータとするか、所定のデータとするかを切替えるステップと、供給される所定のデータを複数のフレーム単位毎に繰返し記録したのち供給される他の所定のデータを複数のフレーム単位毎に繰返し記録すると共に所定のデータが記録されるフレーム以外のフレームにアドレス情報を記録することを特徴とする記録方法である。
【手続補正８】
【補正対象書類名】明細書
【補正対象項目名】０００８
【補正方法】変更
【補正の内容】
【０００８】
請求項１５の発明は、螺旋状又は同心状にデータがフレーム単位で記録される記録媒体に記録する記録装置であって、記録媒体にデータを記録する記録手段と、記録手段に供給するデータをアドレスデータとするか所定のデータとするかを切替える切替手段と、供給される所定のデータを複数のフレーム単位毎に繰返し記録させると共にアドレスデータを所定のデータが記録されるフレーム以外のフレームに記録させる制御手段とから構成される記録装置である。
また、請求項１８の発明は、螺旋状又は同心状にデータがフレーム単位で記録される記録媒体に記録する記録装置であって、記録媒体にデータを記録する記録手段と、記録手段に供給するデータをアドレスデータとするか所定のデータとするかを切替える切替手段と、供給される所定のデータを複数のフレーム単位毎に繰返し記録させたのち供給される他の所定のデータを複数のフレーム単位毎に繰返し記録させると共にアドレスデータを所定のデータが記録されるフレーム以外のフレームに記録させる制御手段とから構成される記録装置である。